(57)【要約】【課題】  レンズホルダーの軸孔が嵌合される支軸を樹脂製とすることによって、その表面平滑性を金属製支軸のそれよりも向上させる一方で、磁気回路によって変位制御されるレンズホルダーの全体としての変位感度特性を向上させる。【解決手段】  金属製支軸２Ａを樹脂製の支軸２に置き換えることによって支軸２とレンズホルダー３の軸孔３１の孔壁面との摺動性を改善し、併せて、樹脂製カバー７Ａを板金製カバー７に置き換えることにより、レンズホルダー３をフォーカス方向Ｆ及びトラッキング方向Ｔに変位制御するための磁気回路の形成部材の中にその金属製カバーを含ませる。【選択図】        図１
2006092654.tif 000002
【特許請求の範囲】
【請求項１】
対物レンズを備えたレンズホルダーの軸孔が金属製支軸に嵌合されていて、上記金属製支軸と、フォーカスコイル又はトラッキングコイルと、永久磁石と、永久磁石を保持している金属製のアクチュエータベースとが形成する磁気回路によって上記レンズホルダーがフォーカス方向及びトラッキング方向に変位制御されると共に、上記アクチュエータベースに上記レンズホルダーを覆う樹脂製カバーが装着されている光ピックアップのアクチュエータにおいて、
上記金属製支軸を、ＰＰＳ樹脂を成形材料とする樹脂製の支軸に置き換えることによって当該支軸とレンズホルダーの軸孔の孔壁面との摺動性を改善したことに加えて、上記樹脂製カバーを板金製カバーに置き換えることにより、上記レンズホルダーをフォーカス方向及びトラッキング方向に変位制御するための磁気回路が、上記板金製カバーと、上記フォーカスコイル又は上記トラッキングコイルと、上記永久磁石と、上記永久磁石を保持している金属製の上記アクチュエータベースとによって形成されるように構成してあり、
上記フォーカスコイル及び上記トラッキングコイルが上記レンズホルダーに設けられていると共に、上記板金製カバーに具備されて上記レンズホルダーに形成された空所に挿入されている突出片が、上記フォーカスコイル及び上記トラッキングコイルを挟んで上記永久磁石と対向し、
上記アクチュエータベースが、上記レンズホルダーの下側に配備された下板部とその下板部から立ち上げられて上記レンズホルダーの左右両側に配備された立上り壁とを有し、それらの立上り壁に上記永久磁石が保持されていると共に、上記板金製カバーに具備された立下り片が上記立上り壁に接触して重ね合わされていることを特徴とする光ピックアップのアクチュエータ。
【請求項２】
対物レンズを備えたレンズホルダーの軸孔が金属製支軸に嵌合されていて、上記金属製支軸と、フォーカスコイル又はトラッキングコイルと、永久磁石と、永久磁石を保持している金属製のアクチュエータベースとが形成する磁気回路によって上記レンズホルダーがフォーカス方向及びトラッキング方向に変位制御されると共に、上記アクチュエータベースに上記レンズホルダーを覆う樹脂製カバーが装着されている光ピックアップのアクチュエータにおいて、
上記金属製支軸を、樹脂製の支軸又は芯材の表面を樹脂層で被覆してなる支軸に置き換えることによって当該支軸とレンズホルダーの軸孔の孔壁面との摺動性を改善したことに加えて、上記樹脂製カバーを板金製カバーに置き換えることにより、上記レンズホルダーをフォーカス方向及びトラッキング方向に変位制御するための磁気回路が、上記板金製カバーと、上記フォーカスコイル又は上記トラッキングコイルと、上記永久磁石と、上記永久磁石を保持している金属製の上記アクチュエータベースとによって形成されるように構成してあることを特徴とする光ピックアップのアクチュエータ。
【請求項３】
上記フォーカスコイル及び上記トラッキングコイルが上記レンズホルダーに設けられていると共に、上記板金製カバーに具備されて上記レンズホルダーに形成された空所に挿入されている突出片が、上記フォーカスコイル及び上記トラッキングコイルを挟んで上記永久磁石と対向している請求項２に記載した光ピックアップのアクチュエータ。
【請求項４】
上記アクチュエータベースが、上記レンズホルダーの下側に配備された下板部とその下板部から立ち上げられて上記レンズホルダーの左右両側に配備された立上り壁とを有し、それらの立上り壁に上記永久磁石が保持されていると共に、上記板金製カバーに具備された立下り片が上記立上り壁に接触して重ね合わされている請求項３に記載した光ピックアップのアクチュエータ。
【請求項５】
上記芯材が金属製であり、その芯材の表面を被覆する上記樹脂層が、その芯材に嵌着された樹脂製スリーブである請求項２ないし請求項５のいずれか１項に記載した光ピックアップのアクチュエータ。
【発明の詳細な説明】
【技術分野】
【０００１】
本発明は、光ピックアップのアクチュエータ、特に光ピックアップの軸摺動型アクチュエータに関する。
【背景技術】
【０００２】
ＤＶＤプレーヤなどのディスク装置に採用される光ピックアップのアクチュエータは、軸摺動型とワイヤー型とに大別することができる。前者の軸摺動型のアクチュエータは、対物レンズを備えるレンズホルダーの軸孔が支軸に嵌合されてフォーカス方向及びトラッキング方向に変位制御されるようになっているのに対し、後者のワイヤー型のアクチュエータは、ばね材（ワイヤー又はその類似物）によってレンズホルダーが片持ちされていて、そのばね材の変形を通じてレンズホルダーがフォーカス方向及びトラッキング方向に変位制御されるようになっている。
【０００３】
図４は軸摺動型アクチュエータＡを搭載した光ピックアップＰの全体構成を説明するための概略斜視図、図５は図４に示した軸摺動型アクチュエータの要部の概略断面図である。
【０００４】
図４又は図５のように、アクチュエータＡは、上面が開放した箱形に成形されている金属製（板金製）のアクチュエータベース１と、このアクチュエータベース１の下板部１２に垂直に立設された金属製支軸２Ａと、軸孔３１を有してその軸孔３１が金属製支軸２Ａに嵌合されているレンズホルダー３と、レンズホルダー３に設けられたフォーカスコイル４及びトラッキングコイル５と、アクチュエータベース１の左右の立上り壁１３に保持されている永久磁石６と、アクチュエータベース１に装着されてレンズホルダー３を上方から覆っている樹脂製カバー７Ａとを備えていて、レンズホルダー３には対物レンズ３１が備わっている。また、図５で判るように、フォーカスコイル４は、レンズホルダー３の軸孔３１の周囲を取り囲む形態でそのレンズホルダー３に保持されているのに対し、トラッキングコイル５は、レンズホルダー３の左右に各別に保持されていて、それらのフォーカスコイル４及びトラッキングコイル５を挟んで金属製支軸２Ａと左右の永久磁石６とが対向している。
【０００５】
このアクチュエータＡにおいて、フォーカスコイル４やトラッキングコイル５に電流が流れると、金属製支軸２Ａと、フォーカスコイル４又はトラッキングコイル５と、永久磁石６と、アクチュエータベース１とによって磁気回路が形成され、その磁気回路の作用によってレンズホルダー３がフォーカス方向Ｆ及びトラッキング方向Ｔに変位制御される。なお、フォーカス方向Ｆとは、金属製支軸２Ａの軸線方向、言い換えると記録媒体としてのディスク（不図示）に対する遠近方向であり、トラッキング方向Ｔとは、金属製支軸２Ａの軸線回り方向である。
【０００６】
上記構成のアクチュエータＡは、図４のようにベース構体８に搭載されていて、このベース構体８が図示していない送り機構により上記ディスクの半径方向に移動制御されることによって、レンズホルダー３の対物レンズ３がディスクの走査箇所に対向される。また、ベース構体８には、光源としてのレーザダイオードや受光素子のほか、ハーフミラー、コリメータレンズなどの光学系を形成している光学要素が組み付けられている。
【０００７】
ところで、軸摺動型アクチュエータにおいて、レンズホルダーのフォーカス方向及びトラッキング方向の変位感度を高めるために、そのレンズホルダーの軸孔とその軸孔が嵌合している支軸との摺動性を改善することが種々研究されている（たとえば、特許文献１、特許文献２、特許文献３参照）。また、低摩擦性の軸受自体やその製造方法についても研究されている（特許文献４参照）。
【０００８】
これに対し、ワイヤ型アクチュエータにおいては、ホルダーの上部及び側部を被覆することによって塵芥の侵入を防ぐための上カバーを磁性体で形成し、そうすることによって漏洩磁界を抑制する技術が従来知られていた（特許文献５参照）。また、ピックアップカバーの機能をアクチュエータヨークに兼用させる技術も知られていた（特許文献６参照）。
【特許文献１】特開平５−８９４９９号公報
【特許文献２】特開平８−３２９５０９号公報
【特許文献３】特開平１０−３３４４９０号公報
【特許文献４】特開平７−１２１８９４号公報
【特許文献５】特開平６−３０１９９３号公報
【特許文献６】特開平９−９１７２７号公報
【発明の開示】
【発明が解決しようとする課題】
【０００９】
図４及び図５を参照して説明した軸摺動型のアクチュエータＡにおいて、レンズホルダー３はその軸孔３１を金属製支軸２Ａに嵌合することによってフォーカス方向Ｆ及びトラッキング方向Ｔに変位されるようになっているのに対し、金属製支軸２Ａはステンレス製軸体の表面に発錆防止のためのニッケル−ニッケルフッ素系樹脂メッキが施されたものである。
【００１０】
ところが、ニッケル−ニッケルフッ素系樹脂メッキによって表面層が形成されている金属製支軸２Ａは、ニッケル−ニッケルフッ素系樹脂メッキによって発錆が抑えられてはいるものの、その表面平滑性をさらに高めてレンズホルダー３の変位感度を向上させることには無理がある。これは、金属製支軸２Ａの表面層であるニッケル−ニッケルフッ素系樹脂メッキ層が微細粒子の集合体であるために、そのような表面層を形成した金属製支軸２Ａの表面平滑性を向上させることには、その表面層自体の構造面からの制約があるためである。
【００１１】
この点に関し、特許文献２には、支持軸を、ＰＴＦＥ含有の熱硬化性樹脂によりコーティングすることによって、支持軸に対するレンズホルダの摩擦抵抗を小さくすることが記載されている。また、本願発明者も、樹脂成形体の表面はニッケル−ニッケルフッ素系樹脂メッキ層に比べて表面平滑性に優れていることを承知している。
【００１２】
しかしながら、図５に示した金属製支軸２Ａを、特許文献２に記載されているところの、ＰＴＦＥ含有の熱硬化性樹脂によりコーティングした支持軸で置き換えただけでは、支軸の表面平滑性を向上させることができるとしても、コーティング層の厚さ分だけステンレス製軸体の径を縮小せざるを得なくなるので、支軸に要求されている磁気回路を形成するためのヨークとしての機能がそれだけ損なわれることになり、そのために全体としてはその磁気回路によって変位制御されるレンズホルダー３の変位感度特性が低下するおそれがある。
【００１３】
一方、ワイヤ型アクチュエータについて記載されている特許文献５や特許文献６には、カバーに磁気回路を形成するためのヨークとしての機能を付与することが記載されているので、このようなヨークとしての機能を備えたカバーを、図５に示した樹脂製カバー７Ａと置き換えて磁気回路の漏洩磁界を少なくすることは可能である。しかし、そのようにしたとしても、図５の金属製支軸２Ａがニッケル−ニッケルフッ素系樹脂メッキされていてその表面平滑性を向上させることに無理があるために、全体としては、磁気回路によって変位制御されるレンズホルダー３の変位感度特性が低下するおそれがある。
【００１４】
本発明は以上の状況の下でなされたものであり、レンズホルダーの軸孔が嵌合される支軸の少なくとも表面を樹脂面とすることによって、その表面平滑性を図５で説明した金属製支軸２Ａのそれよりも向上させることと、支軸をそのように構成することに伴って低下するヨークとしての機能を十分に補うことのできる対策を講じることとによって、磁気回路によって変位制御されるレンズホルダーの全体としての変位感度特性を向上させることのできる光ピックアップのアクチュエータを提供することを目的とする。
【００１５】
また、本発明は、図５で説明した金属製支軸を樹脂製支軸に置き換えたために、その支軸からヨークとしての機能が消失したとしても、磁気回路によって変位制御されるレンズホルダーの全体としての変位感度特性を向上させることのできる光ピックアップのアクチュエータを提供することを目的とする。
【課題を解決するための手段】
【００１６】
本発明に係る光ピックアップのアクチュエータは、対物レンズを備えたレンズホルダーの軸孔が金属製支軸に嵌合されていて、上記金属製支軸と、フォーカスコイル又はトラッキングコイルと、永久磁石と、永久磁石を保持している金属製のアクチュエータベースとが形成する磁気回路によって上記レンズホルダーがフォーカス方向及びトラッキング方向に変位制御されると共に、上記アクチュエータベースに上記レンズホルダーを覆う樹脂製カバーが装着されている光ピックアップのアクチュエータにおいて、上記金属製支軸を、樹脂製の支軸又は芯材の表面を樹脂層で被覆してなる支軸に置き換えることによって当該支軸とレンズホルダーの軸孔の孔壁面との摺動性を改善したことに加えて、上記樹脂製カバーを板金製カバーに置き換えることにより、上記レンズホルダーをフォーカス方向及びトラッキング方向に変位制御するための磁気回路が、上記板金製カバーと、上記フォーカスコイル又は上記トラッキングコイルと、上記永久磁石と、上記永久磁石を保持している金属製の上記アクチュエータベースとによって形成されるように構成してある。
【００１７】
この発明によると、金属製支軸を、樹脂製の支軸又は芯材の表面を樹脂層で被覆してなる支軸に置き換えることによって当該支軸とレンズホルダーの軸孔の孔壁面との摺動性を改善しているので、レンズホルダーは支軸に対してフォーカス方向及びトラッキング方向に変位しやすくなるけれども、その反面で、支軸のヨークとしての機能が消失してしまうか、あるいは、支軸のヨークとしての機能が低下してしまう。そこで、そのように消失又は低下した支軸のヨークとしての機能を十分に補うために、樹脂製カバーを板金製カバーに置き換え、レンズホルダーをフォーカス方向及びトラッキング方向に変位制御するための磁気回路を、板金製カバーと、フォーカスコイル又は上記トラッキングコイルと、永久磁石と、金属製のアクチュエータベースとによって形成している。したがって、この発明によるアクチュエータは、磁気回路によって変位制御されるレンズホルダーの全体としての変位感度特性が向上するようになる。
【００１８】
本発明では、上記フォーカスコイル及び上記トラッキングコイルが上記レンズホルダーに設けられていると共に、上記板金製カバーに具備されて上記レンズホルダーに形成された空所に挿入されている突出片が、上記フォーカスコイル及び上記トラッキングコイルを挟んで上記永久磁石と対向している、という構成を採用することが望ましい。
【００１９】
また、本発明では、上記アクチュエータベースが、上記レンズホルダーの下側に配備された下板部とその下板部から立ち上げられて上記レンズホルダーの左右両側に配備された立上り壁とを有し、それらの立上り壁に上記永久磁石が保持されていると共に、上記板金製カバーに具備された立下り片が上記立上り壁に接触して重ね合わされている、という構成を採用することが可能である。
【００２０】
さらに、本発明では、上記芯材が金属製であり、その芯材の表面を被覆する上記樹脂層が、その芯材に嵌着された樹脂製スリーブである、という構成を採用することが可能である。
【００２１】
本発明に係る光ピックアップのアクチュエータは、対物レンズを備えたレンズホルダーの軸孔が金属製支軸に嵌合されていて、上記金属製支軸と、フォーカスコイル又はトラッキングコイルと、永久磁石と、永久磁石を保持している金属製のアクチュエータベースとが形成する磁気回路によって上記レンズホルダーがフォーカス方向及びトラッキング方向に変位制御されると共に、上記アクチュエータベースに上記レンズホルダーを覆う樹脂製カバーが装着されている光ピックアップのアクチュエータにおいて、上記金属製支軸を、ＰＰＳ樹脂を成形材料とする樹脂製の支軸に置き換えることによって当該支軸とレンズホルダーの軸孔の孔壁面との摺動性を改善したことに加えて、上記樹脂製カバーを板金製カバーに置き換えることにより、上記レンズホルダーをフォーカス方向及びトラッキング方向に変位制御するための磁気回路が、上記板金製カバーと、上記フォーカスコイル又は上記トラッキングコイルと、上記永久磁石と、上記永久磁石を保持している金属製の上記アクチュエータベースとによって形成されるように構成してあり、上記フォーカスコイル及び上記トラッキングコイルが上記レンズホルダーに設けられていると共に、上記板金製カバーに具備されて上記レンズホルダーに形成された空所に挿入されている突出片が、上記フォーカスコイル及び上記トラッキングコイルを挟んで上記永久磁石と対向し、上記アクチュエータベースが、上記レンズホルダーの下側に配備された下板部とその下板部から立ち上げられて上記レンズホルダーの左右両側に配備された立上り壁とを有し、それらの立上り壁に上記永久磁石が保持されていると共に、上記板金製カバーに具備された立下り片が上記立上り壁に接触して重ね合わされている、という構成を採用することによっていっそう具体化される。
【発明の効果】
【００２２】
以上のように、本発明によれば、レンズホルダーの軸孔が嵌合される支軸の表面が樹脂面として形成されているためにその表面平滑性が図５で説明した金属製支軸のそれよりも向上したものとなり、しかも、支軸の表面を樹脂面として形成したことに伴って消失又は低下する支軸のヨークとしての機能が、図５で説明した樹脂製カバーと置き換えられた板金製カバーのヨークとしての機能によって十分に補われるので、磁気回路によって変位制御されるレンズホルダーの全体としての変位感度特性が向上する。そのため、近時のＤＶＤプレーヤのようなディスク装置に要求されている高性能化を促進し得る技術としてきわめて有益である。
【発明を実施するための最良の形態】
【００２３】
図１は本発明に係る軸摺動型アクチュエータＡを搭載した光ピックアップＰの全体構成を説明するための概略斜視図、図２は図１に示した軸摺動型アクチュエータの要部の概略断面図である。
【００２４】
図１及び図２のアクチュエータＡにおいて、図４又は図５を参照して説明したアクチュエータＡと異なる構成は、主に支軸２及びカバー７の構成だけであり、また、アクチュエータベース１やレンズホルダー３は、支軸２及びカバー７の構成を変更したことに伴う構成の変更が加えられている。その他の構成は同様であるので、同一又は相応する要素に同一符号を付して説明の重複を回避することとする。
【００２５】
この実施形態において、支軸２は樹脂製すなわち樹脂成形体でなり、図４又は図５に示した金属製支軸２Ａと置き換えて用いられている。さらに具体的には、支軸２は、ポリフェニレンスルファイド樹脂（ＰＰＳ樹脂）を用いて成形されていて、その表面平滑性は、図４又は図５に示した金属製支軸２Ａのそれよりも優れている。そして、この支軸２は、その下端に一体成形された鍔形部２１をアクチュエータベース１の下板部１２に接着剤で接合することによってそのアクチュエータベース１に固着されている。
【００２６】
これに対し、カバー７は磁性体としての板金で略門形に成形されていて（板金製）、左右一対の立下り片７１と、中央部の一対の突出片７２とを備えている。
【００２７】
そして、レンズホルダー３の軸孔３１が樹脂製の支軸２に嵌合されている。また、板金製のカバー７の一対の突出片７２が、レンズホルダー３の軸孔３１を挟む両側に具備されている空所３３に各別に挿入され、しかも、そのカバー７の一対の立下り片７１が、アクチュエータベース３の左右の立上り壁１３に各別に接触して重ね合わされている。
【００２８】
このアクチュエータＡによると、支軸２が樹脂製であるために、その支軸２とレンズホルダー３の軸孔３１の孔壁面との摺動性が図５のものよりも改善されているけれども、その反面で、支軸２が樹脂製であるために当該支軸２は磁気回路を形成するヨークとしての機能を発揮し得ない。これに対し、カバー７を板金製としてそのカバーにヨークとしての機能を付与し、レンズホルダー３をフォーカス方向Ｆ及びトラッキング方向Ｔに変位制御するための磁気回路を、板金製カバー７と、フォーカスコイル４又はトラッキングコイル５と、永久磁石６と、アクチュエータベース１とによって形成してあるので、支軸２が樹脂製としたことによって消失したヨークとしての機能が、板金製カバー７のヨークとしての機能によって十分に補われるようになり、漏洩磁界が図４又は図５のものよりも少なくなる。この実施形態のアクチュエータは、磁気回路によって変位制御されるレンズホルダー３の全体としての変位感度特性が、図４又は図５のものよりも向上したことを確認している。
【００２９】
特にこの実施形態のように、金属製カバー７の突出片７２をレンズホルダー３の空所３３に挿入することによって、その突出片７２をフォーカスコイル４及びトラッキングコイル５を挟んで永久磁石６と対向させておくことにより、磁気回路の漏洩磁界を少なくしてレンズホルダー３の変位感度特性を向上させ得ることが判っている。
【００３０】
図３は支軸２の変形例を示している。この支軸２は、高強度の芯材２２の表面を形成している頂面及び外周面を表面平滑性に優れる樹脂層２３で被覆することによって構成されている。この支軸２は図２で説明した樹脂製の支軸２と置き換え可能であり、そのように置き換えることによって、レンズホルダー３をフォーカス方向Ｆ及びトラッキング方向Ｔに変位可能に支持する機能やヨークとしての機能を発揮する。この支軸２において、芯材２２はメッキ処理のなされていない安価なステンレス軸体によって形成することが可能であり、樹脂層２３は、樹脂成形体でなる樹脂製スリーブや芯材２２にインサート成形することによって構成することが可能であり、樹脂製スリーブによる場合は、成形した樹脂製スリーブを芯材２２に嵌着することによって芯材２２と一体化することが可能である。
【図面の簡単な説明】
【００３１】
【図１】本発明に係る軸摺動型アクチュエータを搭載した光ピックアップの全体構成を説明するための概略斜視図である。
【図２】図１に示した軸摺動型アクチュエータの要部の概略断面図である。
【図３】支軸の変形例を示した断面図である。
【図４】従来の軸摺動型アクチュエータを搭載した光ピックアップの全体構成を説明するための概略斜視図である。
【図５】図４に示した軸摺動型アクチュエータの要部の概略断面図である。
【符号の説明】
【００３２】
１  アクチュエータベース
２  樹脂製の支軸
２Ａ  金属製支軸
３  レンズホルダー
４  フォーカスコイル
５  トラッキングコイル
６  永久磁石
７  板金製カバー
７Ａ  樹脂製カバー
１２  下板部
１３  立上り壁
３１  軸孔
３２  対物レンズ
３３  空所
７１  立下り片
７２  突出片
Ｆ  フォーカス方向
Ｔ  トラッキング方向
Ａ  アクチュエータ
【図１】
2006092654.tif 000003
【図２】
2006092654.tif 000004
【図３】
2006092654.tif 000005
【図４】
2006092654.tif 000006
【図５】
2006092654.tif 000007